(57)【特許請求の範囲】
【請求項１】
前胴回り部、後胴回り部及び股下部とから構成され、液保持性の吸収体を含む縦長の吸収性本体と、
前記吸収性本体の幅方向における側縁部の少なくとも一部に設けられるサイドフラップと、
前記サイドフラップに取り付けられ、前記前胴回り部または前記後胴回り部の一方から前記吸収性本体の幅方向外側に延出し、前記前胴回り部または前記後胴回り部の他方に止着されるように構成されたファスニングテープと
を備える使い捨ておむつであって、
前記ファスニングテープは、不織布によって形成された基材シートと、複数の係合フックが設けられたフックシートとを有し、
前記ファスニングテープが設けられているファスニングテープ存在域全体としての前記吸収性本体の長手方向におけるKES曲げ剛性値は、0.115199N・cm2以下、かつ0.035037N・cm2以上であり、
前記ファスニングテープ存在域全体としての前記吸収性本体の長手方向におけるKES曲げ回復値は、0.1313298N・cm以下、かつ0.0652566N・cm以上であり、
前記フックシート存在域の前記吸収性本体の長手方向における単位長さ当たりのKES曲げ剛性値をB1、前記ファスニングテープ存在域のうち、前記フックシートが設けられていないフックシート非存在域の前記吸収性本体の長手方向における単位長さ当たりのKES曲げ剛性値をB2とした場合、前記KES曲げ剛性の比率B2/B1は、0.80〜1.20の関係を満足し、
前記ファスニングテープ存在域のうち、前記フックシートが設けられていないフックシート非存在域の前記吸収性本体の長手方向における単位長さ当たりのKES曲げ剛性値B2が、前記フックシート存在域の前記吸収性本体の長手方向における単位長さ当たりのKES曲げ剛性値B1よりも大きく、
前記フックシートが設けられている面と反対側の面である前記基材シートの外側面と、前記吸収性本体の外側面とは、実質的に同一の模様または色彩を有する、
前記フックシートが設けられている面と反対側の面である前記基材シートの外側面と、前記吸収性本体の外側面とには、エンボス部が形成されている、使い捨ておむつ。
【請求項２】
前記ファスニングテープ存在域のうち、前記フックシートが設けられているフックシート存在域の前記吸収性本体の長手方向におけるKES曲げ剛性値は、0.1009204N・cm2以下である請求項１に記載の使い捨ておむつ。
【請求項３】
前記吸収性本体の幅方向における側縁部には、前記吸収性本体の長手方向に沿って伸縮可能なレッグ弾性部材が設けられ、
前記吸収性本体の長手方向における中心を通る直線と、前記股下部寄りに位置する前記ファスニングテープの外縁部を通り前記吸収性本体の幅方向と平行な直線との間の領域における前記吸収性本体の長手方向における伸長率は、130%以上である請求項１又は請求項２に記載の使い捨ておむつ。
【請求項４】
前記フックシート存在域の幅方向における単位長さ当たりのKES曲げ剛性値は、0.0279006N・cm2/cm以下である請求項１乃至３の何れか一項に記載の使い捨ておむつ。
【請求項５】
前記ファスニングテープは、前記サイドフラップに取り付けられる基端部から前記基端部と反対側に位置する自由端部に向かうに連れて、前記吸収性本体の長手方向における幅が狭くなる形状を有し、
前記基端部における前記吸収性本体の長手方向に沿った幅と、前記基端部寄りの前記フックシート存在域の端部における前記吸収性本体の長手方向に沿った幅との差は、前記吸収性本体の長手方向における一端側において7.5mm以下であり、好ましくは5.0mm以下である請求項１乃至４の何れか一項に記載の使い捨ておむつ。
【発明の詳細な説明】
【技術分野】
【０００１】
本発明は、前胴回り部または後胴回り部の一方にファスニングテープを備える使い捨ておむつに関する。
【背景技術】
【０００２】
従来、乳幼児などに主に用いられる使い捨ておむつとして、後胴回り部（または前胴回り部）のサイドフラップに止着用のファスニングテープを設けた、いわゆるオープンタイプの使い捨ておむつが広く提供されている。上述したようなファスニングテープを備えたオープンタイプの使い捨ておむつは、着脱の容易性などから、特に、新生児及び乳幼児に広く用いられている。
【０００３】
このようなオープンタイプの使い捨ておむつにおいて、ファスニングテープの肌当接面側の基端部を、ファスニングテープよりも柔軟なサイドフラップ（不織布）で覆った構造が知られている（例えば、特許文献１）。このような使い捨ておむつによれば、ファスニングテープが乳幼児などの肌を刺激することが抑制されるため、乳幼児は不快感や痛みを感じ難くなる。
【先行技術文献】
【特許文献】
【０００４】
【特許文献１】特開２００３−７０８４０号公報（第１図）
【発明の概要】
【発明が解決しようとする課題】
【０００５】
ところで、新生児や乳幼児（以下、乳幼児）の脳は、誕生後に様々な刺激が与えられることによって、情報の伝達網が張りめぐらされ、この伝達網の成長は、乳児期、つまり、誕生から１歳までが顕著であることが知られている。
【０００６】
具体的には、乳児には必要以上の神経細胞（ニューロン）が存在し、乳児期には、実際に使われている数の数兆倍以上のシナプスが形成される。そして、不要であると判断されたニューロンは取り除かれ、刺激を受けないシナプスは退化していく。つまり、乳児は、様々は動作を行い、これらの動作から得られる刺激によって脳及び身体を成長させていく。
【０００７】
ニューロンの成長は、ストレスによって妨げられ、適切な刺激によって促進されるため、乳児が不快感や痛みを感じないようにすることが肝要である。特に、乳児が身体の動作を覚えていく段階では、乳児は、身体（例えば脚部）を動かすだけの力を有していても、不快感があれは、その動き止めてしまい易い。一方、乳児は、不快感がなければ、その動作を繰り返し行うようになり易い。
【０００８】
また、乳児の脊柱は、胸椎、腰椎が強く背側に湾曲したＣ型のカーブを呈している。このような姿勢は乳児にとって自然で筋肉を使い易く、呼吸も安定することから良好な覚醒状態を保つことができる。良い覚醒状態での刺激は脳の発達を促進する。仰向けに寝た状態で足を身体側に曲げ、曲げた足を両手で持つ動作は、乳児期特有の姿勢である。
【０００９】
従来のオープンタイプの使い捨ておむつは、上述したＣカーブを呈した姿勢から足を曲げると、鼠蹊口の部分にファスニングテープが存在するため、そもそもファスニングテープが身体と接触し易い。また、ファスニングテープが硬いためにファスニングテープ周辺の身体に高い圧力が掛かり、乳児が足を曲げる動作を妨げる可能性もある。特に、鼠蹊口付近は足の可動域が大きく、また、皮膚が薄くリンパ節が存在する部分なので、乳児が不快感や痛みを感じやすい。
【００１０】
そこで、本発明は、このような状況に鑑みてなされたものであり、着用者、特に乳幼児が足を曲げる動作を行った場合に不快感や痛みをさらに感じ難くなるとともに、乳幼児の成長への悪影響を効果的に防止し得る使い捨ておむつの提供を目的とする。
【課題を解決するための手段】
【００１１】
本発明の特徴は、前胴回り部（前胴回り部20）、後胴回り部（後胴回り部40）及び股下部（股下部30）とから構成され、液保持性の吸収体（吸収体35）を含む縦長の吸収性本体（吸収性本体15）と、前記吸収性本体の幅方向（幅方向DW）における側縁部の少なくとも一部に設けられるサイドフラップ（サイドフラップ50）と、前記サイドフラップに取り付けられ、前記前胴回り部または前記後胴回り部の一方から前記吸収性本体の幅方向外側に延出し、前記前胴回り部または前記後胴回り部の他方に止着されるように構成されたファスニングテープ（ファスニングテープ100）とを備える使い捨ておむつ（使い捨ておむつ10）であって、前記ファスニングテープは、不織布によって形成された基材シート（基材シート120）と、複数の係合フック（係合フック111）が設けられたフックシート（フックシート110）とを有し、前記ファスニングテープが設けられているファスニングテープ存在域（ファスニングテープ存在域SALL）全体としての前記吸収性本体の長手方向（長手方向DL）におけるKES曲げ剛性値は、0.115199N・cm2以下であり、前記ファスニングテープ存在域全体としての前記吸収性本体の長手方向におけるKES曲げ回復値は、0.1313298N・cm以下であることを要旨とする。
【発明の効果】
【００１２】
本発明の特徴によれば、着用者、特に乳幼児が足を曲げる動作を行った場合に不快感や痛みをさらに感じ難くなるとともに、乳幼児の成長への悪影響を効果的に防止し得る使い捨ておむつを提供できる。
【図面の簡単な説明】
【００１３】
【図１】本発明の実施形態に係る使い捨ておむつ10の平面図である。
【図２】本発明の実施形態に係る使い捨ておむつ10のファスニングテープ100部分（サイドフラップ50側）の拡大図である。
【図３】本発明の実施形態に係る使い捨ておむつ10のファスニングテープ100部分（バックシート70側）の拡大図である。
【図４】図２に示したF4-F4線に沿った使い捨ておむつ10の断面図である。
【図５】ファスニングテープ100の曲げ特性を測定する際の曲げ方向の説明図である。
【発明を実施するための形態】
【００１４】
次に、本発明に係る使い捨ておむつの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００１５】
したがって、具体的な寸法などは以下の説明を参酌して判断すべきである。また、図面相互間においても互いの寸法の関係や比率が異なる部分が含まれ得る。
【００１６】
（１）使い捨ておむつの概略形状
図１は、本実施形態に係る使い捨ておむつ10の平面図である。図１に示すように、使い捨ておむつ10は、前胴回り部20、股下部30及び後胴回り部40を有するオープンタイプである。使い捨ておむつ10は、特に乳幼児用として好適に用いることができる。
【００１７】
前胴回り部20、股下部30及び後胴回り部40とによって吸収性本体15が構成される。吸収性本体15は、液保持性の吸収体35を含む縦長の形状を有する。本実施形態では、吸収体35は、前胴回り部20、股下部30及び後胴回り部40に渡って設けられる。吸収体35は、吸収性本体15の長手方向DLにおける中央部における幅が狭くなるような形状を有する。なお、吸収体35の形状は、図１に示したような形状に限定されず、単純な長方形であってもよい。また、吸収体35は、少なくとも股下部30に設けられていればよい。
【００１８】
吸収性本体15は、従来のオープンタイプの使い捨ておむつと同様であり、公知の部材や材料を用いて適宜構成することができる。また、吸収性本体15は、図示しない液透過性の表面シート、長手方向DLに沿って吸収性本体15の側縁部に設けられる立体ギャザー、及び幅方向DWに沿って後胴回り部40に設けられるウエストギャザーなどを有していてもよい。
【００１９】
吸収性本体15の幅方向DWにおける側縁部には、サイドフラップ50が設けられる。サイドフラップ50は、１枚または２枚以上の複数枚重ねた不織布によって構成されている。
【００２０】
本実施形態では、サイドフラップ50は、吸収性本体15の長手方向DLの全域に渡って設けられる。つまり、サイドフラップ50は、前胴回り部20から後胴回り部40まで設けられる。股下部30と対応するサイドフラップ50の幅は、前胴回り部20及び後胴回り部40と対応するサイドフラップ50の幅よりも狭い。なお、サイドフラップ50は、必ずしも吸収性本体15の長手方向DLの全域に渡って設けられていなくてもよく、例えば、後胴回り部40と対応する領域のみに設けられていてもよい。
【００２１】
また、吸収性本体15の幅方向DWにおける側縁部、具体的にはサイドフラップ50には、吸収性本体15の長手方向DLに沿って伸縮可能なレッグ弾性部材55が設けられる。レッグ弾性部材55によって、吸収性本体15が長手方向DLにおいて収縮させられている。このように収縮された吸収性本体15は、特に、後胴回り部40側において長手方向DLに伸長することができる。
【００２２】
具体的には、吸収性本体15の長手方向DLにおける中心を通る直線L1と、股下部30寄りに位置するファスニングテープ100の外縁部を通り吸収性本体15の幅方向DWと平行な直線L2との間の領域Sにおける吸収性本体15の長手方向DLにおける伸長率は、130%以上に設定される。また、伸長率は、250%以下とすることが好ましい。250%を超える伸長率とすると、使い捨ておむつ10が伸縮し過ぎて装着時の位置ずれの原因となる。なお、伸長率は、レッグ弾性部材55の配置されている部分について、直線L1〜L2間の距離を、使い捨ておむつ10を皺がなくなるまで伸長させた状態及び自然状態において各々測定し、伸長させた状態の距離を自然状態の距離で除すことによって算出したものである。
【００２３】
サイドフラップ50には、ファスニングテープ100が取り付けられる。具体的には、ファスニングテープ100は、後胴回り部40から吸収性本体15の幅方向DW外側に延出する。ファスニングテープ100は、前胴回り部20に止着されるように構成される。ファスニングテープ100のフックシート110（図１において不図示、図２参照）は、前胴回り部20のバックシート70（図１において不図示、図３参照）側に設けられたターゲットテープ60に係合する。
【００２４】
なお、ファスニングテープ100は、後胴回り部40ではなく、前胴回り部20から吸収性本体15の幅方向DW外側に延出するようにサイドフラップ50に取り付けられてもよいが、仰向けに寝かせた状態で使い捨ておむつを交換する状況が多い乳幼児の場合、ファスニングテープ100は、後胴回り部40に取り付けられていることが好ましい。
【００２５】
（２）ファスニングテープの形状
次に、図２〜図４を参照して、ファスニングテープ100の形状について説明する。図２は、使い捨ておむつ10のファスニングテープ100部分（サイドフラップ50側）の拡大図である。図３は、使い捨ておむつ10のファスニングテープ100部分（バックシート70側）の拡大図である。図４は、図２に示したF4-F4線に沿った使い捨ておむつ10の断面図である。
【００２６】
図２〜図４に示すように、ファスニングテープ100は、後胴回り部40（図１参照）に対応するサイドフラップ50の領域に取り付けられている。ファスニングテープ100は、複数の係合フック111が設けられたフックシート110と、不織布によって形成され基材シート120とを有する。
【００２７】
フックシート110は、基材シート120に接合されている。フックシート110と基材シート120との接合は、ファスニングテープ100の剛性が必要以上に高くなることがないようされていることが好ましい。具体的には、フックシート110と基材シート120とは、点状、線状或いはスパイラル状のような間欠的に塗布されたホットメルト接着剤によって接合されていることが好ましい。なお、フックシート110と基材シート120とは、熱シールなどで接合されてもよい。
【００２８】
また、フックシート110の剛性を低下させるためには、フックシート110の基材部分の厚みを薄くしたり、当該基材部分の空隙を増やしたりするなど、公知の各種方法を用いることができる。例えば、特表2007-516036号公報に記載されているような基材部分の厚みが25〜150μmのようなフックシートを用いることができる。
【００２９】
本実施形態では、フックシート110のサイズは、従来の標準的なフックシートのサイズよりも大きいなっている。具体的には、幅方向DW及び長手方向DLにおけるサイズは、それぞれ20〜30mm、30〜50mmに設定される。なお、従来の標準的なフックシートの幅方向DW及び長手方向DLにおけるサイズは、それぞれ10〜25mm、15〜30mmである。
【００３０】
基材シート120は、１枚または２枚以上の複数枚重ねた不織布によって構成されている。基材シート120としては、スパンボンド（SB）またはスパンボンド−メルトブローン−スパンボンド（SMS）などの製法によって製造された不織布を用いることができる。基材シート120を構成する不織布の目付け（複数枚の場合は合計目付け）は、30〜120g/m2であり、好ましくは40〜90g/m2である。当該目付けが30g/m2未満の場合、使い捨ておむつ10を保持する強度を維持することが困難であり、ファスニングテープ100の使用時に、フックシート110が存在しない領域において破断する頻度が高くなる。一方、当該目付けが120g/m2を超える場合、ファスニングテープ100の曲げ剛性が高くなり過ぎる。
【００３１】
また、本実施形態では、ファスニングテープ100は、サイドフラップ50に取り付けられる基端部100bから基端部100bと反対側に位置する自由端部100fに向かうに連れて、吸収性本体15の長手方向DLにおける幅が狭くなる形状を有する。基端部100bにおける吸収性本体15の長手方向DLに沿った幅と、基端部100b寄りのフックシート存在域SHSの端部における吸収性本体15の長手方向DLに沿った幅との差dは、長手方向DLにおける一端側において7.5mm以下であり、好ましくは5.0mm以下である。
【００３２】
図３に示すように、使い捨ておむつ10のバックシート70には、エンボス部80が形成される。また、ファスニングテープ100、具体的には、基材シート120にも、同一模様のエンボス部80が形成される。つまり、フックシート110が設けられている面と反対側の面である基材シート120の外側面と、吸収性本体15の外側面とは、実質的に同一の模様または色彩を有することが好ましい。
【００３３】
図４に示すように、ファスニングテープ100の基端部100bは、サイドフラップ50とバックシート70とに取り付けられている。ファスニングテープ100と、サイドフラップ50及びバックシート70との接合も、上述したように、点状、線状或いはスパイラル状のような間欠的に塗布されたホットメルト接着剤によって接合されていることが好ましい。
【００３４】
（３）ファスニングテープの曲げ剛性及び曲げ回復性
次に、ファスニングテープ100のKES曲げ剛性値及びKES曲げ回復値について説明する。なお、KES曲げ剛性値及びKES曲げ回復値の具体的な測定方法については、後述する。
【００３５】
（３．１）曲げ剛性
本実施形態では、ファスニングテープ100が設けられているファスニングテープ存在域SALL（図２参照）全体としての長手方向DLにおけるKES曲げ剛性値は、0.115199N・cm2以下である。また、ファスニングテープ存在域SALLのうち、フックシート110が設けられているフックシート存在域SHSの長手方向DLにおけるKES曲げ剛性値は、0.1009204N・cm2以下である。なお、フックシート存在域SHSには、フックシート110が設けられている部分よりも自由端部100f側の部分も含まれる。
【００３６】
さらに、フックシート存在域SHSの長手方向DLにおける単位長さ当たりのKES曲げ剛性値（N・cm2/cm）をB1、ファスニングテープ存在域SALLのうち、フックシート110が設けられていないフックシート非存在域SBの長手方向DLにおける単位長さ当たりのKES曲げ剛性値（N・cm2/cm）をB2とした場合、KES曲げ剛性比率B2/B1は、0.8〜1.20の関係を満足する。なお、KES曲げ剛性値は、B1＜B2の関係を満足することがより好ましい。
【００３７】
また、フックシート存在域SHSの幅方向DWにおける単位長さ当たりのKES曲げ剛性値は、0.0279104N・cm2/cm以下である。
【００３８】
（３．２）曲げ回復性
本実施形態では、ファスニングテープ存在域SALL全体としての長手方向DLにおけるKES曲げ回復値は、0.1313298N・cm以下である。
【００３９】
また、フックシート存在域SHSの長手方向DLにおけるKES曲げ回復値は、0.082614N・cm以下である。
【００４０】
（４）実施例
次に、本発明の実施例について説明する。表１は、実施例１〜実施例６に係るファスニングテープと、比較例１〜比較例４に係るファスニングテープ（以下、単に実施例及び比較例と適宜省略する）の構成及び試験結果の概略を示す。
【００４１】
また、実施例及び比較例に係るファスニングテープの幅方向DWにおける全体寸法（ファスニングテープ存在域SALL）は67mm、フックシート存在域SHS（自由端部100fを含む）の寸法は38mm、フックシート非存在域SBの寸法は29mmであった。
【００４２】
【表１】
0006043054.tif 000002
【００４３】
表１に示すように、ファスニングテープに用いられる不織布の種類、目付けまたはフックシートの厚み（係合フック111の高さを除く、フックシート110の基材部分の厚み）が異なる複数のサンプルを用いて、ファスニングテープの曲げ特性（曲げ剛性及び曲げ回復性）について試験を行った。
【００４４】
また、当該サンプルを用いて、着用者（乳児）の足の動かし易さについても試験を行った。
【００４５】
以下、各試験における測定方法及び試験結果の詳細について説明する。
【００４６】
（４．１）試験方法
（４．１．１）曲げ特性
ファスニングテープの曲げ特性については、カトーテック株式会社製のKES曲げ測定機を用いて測定した。具体的には、B値（曲げ剛性）値及び2HB値（曲げ回復性）を測定した。
【００４７】
具体的には、KES法に関しては、「風合い評価の標準化と解析」第２版（社団法人日本繊維機械学会  風合い計量と規格化研究委員会  昭和５５年７月１０日発行）に詳細が説明されている。よって、力学的性質毎の測定方法に関し、本測定に関連した測定条件についてのみ説明する。
【００４８】
曲げ特性は、カトーテック株式会社製KES-FB2を用いて、各サンプル（ファスニングテープ全体）をチャック間に固定し、最大曲率+2.5cm-1まで表側に曲げ、次に、最大曲率-2.5cm-1まで裏側に曲げた後に元に戻すことによって測定した。
【００４９】
図５は、ファスニングテープ100の曲げ特性を測定する際の曲げ方向の説明図である。図５に示すように、ファスニングテープ100は、カトーテック株式会社製KES-FB2（不図示）を用いて、長手方向DLまたは幅方向DWに上述した曲率まで曲げている。図５において、実線は、吸収性本体15の長手方向DLに沿って曲げられたファスニングテープ100の形状を示し、２点鎖線は、曲げられる前のファスニングテープ100の形状を示す。また、図５に示すように、試験対象としたファスニングテープ100には、ファスニングテープ100と重複するサイドフラップ50及びバックシート70の部分が含まれている。
【００５０】
サンプルは重力の影響を少なくするために垂直にした状態とした上で、曲げ剛性B［N・cm2/cm］は、表側に曲げはじめて曲率に対する曲げモーメントの傾きがほぼ一定になったときの傾きから算出した。また、曲げ回復性2HB［N・cm/cm］は、そのヒステリシス幅から求めた。このようにして測定された単位長さ当りのKES曲げ剛性値B及び曲げ回復値2HBに、それぞれ測定サンプル全体の幅を積算することで測定対象サンプル全体としての曲げ剛性値［N・cm2］および曲げ回復値［N ・cm］を算出した。
【００５１】
（４．１．２）足の動かし易さ
着用者の足の動かし易さについては、図１などに示した使い捨ておむつ10（Sサイズ）を試作し、ファスニングテープのみを実施例・比較例毎に変更して試験を行った。
【００５２】
具体的には、実施例１〜実施例６、及び比較例１〜比較例４のファスニングテープが取り付けられた使い捨ておむつを３０名のモニタ（月齢３〜６ヶ月の乳児の世話を主にしている人）にそれぞれ２０枚提供し、提供した使い捨ておむつの使用後にアンケートを実施した。また、これらのモニタによるアンケート結果を裏付けるために、ドールに同一の使い捨ておむつを装着し、乳児が負荷と感じるであろう圧力（20hPa）が掛かるまでに、どの程度足を上げることができるかを測定した。
【００５３】
より具体的には、ファスニングテープの比較のため、市販のユニ・チャーム社製の「ムーニー（登録商標）Ｓサイズ・ねんね仕立て」を用いて、ファスニングテープ部分、ファスニングテープを固定するサイドフラップ部分、バックシート部分を固定部内側の約２０ｍｍ位置から差し替えることによりサンプルを準備し、試験を行った。
【００５４】
次いで、各サンプルをドールに装着し、足の鼠蹊部に当たる位置での圧力（装着圧）を測定した。ドールの使い捨ておむつの装着位置は、適正な装着位置を目安として、各サンプルがほぼ同じ位置に装着されるようにした。目安としては、ドールの大腿部と胴回り部との付け根のラインである鼠蹊部に沿ったラインと、ファスニングテープの下半分領域とが重なる程度の位置に使い捨ておむつを装着した。
【００５５】
胴回り方向のテープ取り付け位置は、ファスニングテープの取り付け位置（フックシートの外側端部の位置）を製品幅方向中心から50mmの位置とし、ファスニングテープの鼠蹊口に当たる位置に、15mm直径の略円盤状のエアパックの上半分程度がファスニングテープと重なるように使い捨ておむつとドールとの間に差込んだ。
【００５６】
このような状態は、使い捨ておむつのウエストまわりに人指し指１本が入る程度の締め付けとなる。具体的には、使い捨ておむつのウエストまわりに人指し指１本が入る程度の締め付けとなるように微調整を行い、エアパックに1〜3hPaの圧がかかる程度の締め付けとした。なお、ドールは初期状態において、仰向けにして足がほぼ水平となるようにした。
【００５７】
この状態において、ドールの足を垂直上方に上げていき、圧力（装着圧）が20hPaとなった時点にて、水平横方向から写真を撮り、体幹の中心線と足繰り中心線の仮想線の交差角度を測定した。当該測定を10回行い、交差角度の平均値を足上げ角度とした。
【００５８】
なお、ドールとしては、Sサイズの標準的な体型（臍部分での胴回りサイズ：39.5cm、足繰り鼠蹊部周サイズ：25.0cm、臀部頂点を通る胴回りサイズ：37.5cm）のシリコン製のものを用いた。また、装着圧の測定には、装着圧測定装置（（株）エイエムアイ・テクノ製の接触圧測定器（AMI3037-SB-hP））を用いた。
【００５９】
また、装着圧を20hPaとした根拠は、着用者の肌に着用圧による赤みが発生する程度に使い捨ておむつが身体に押し当てられた状態が15〜20hPaであるとの知見から、２０hpa以下の面圧となるようにしたものである。
【００６０】
（４．２）試験結果
（４．２．１）曲げ特性
表２は、ファスニングテープ存在域SALL全体としての長手方向DLにおける曲げ特性の試験結果を示す。
【００６１】
【表２】
0006043054.tif 000003
【００６２】
表２に示すように、実施例１〜６に係るファスニングテープ存在域SALLの曲げ剛性Bの値（以下、B値）は、0.115199N・cm2/cm以下であった。また、実施例３〜５に係るファスニングテープ存在域SALLの曲げ回復性2HBの値（以下、2HB値）は、0.1313298N・cm以下であった。
【００６３】
つまり、実施例１〜実施例６は、比較例１〜比較例３よりも大幅に曲げ剛性Bが低く、特に、実施例３〜実施例５は、曲げ回復性2HBの値も低いことが確認できた。
【００６４】
一方、比較例４は柔軟すぎるため、上手くテープ全体面にテンションをかけることができず使い捨ておむつ本体に取り付け難かった。さらに、ファスニングテープを取り外す際にも、柔軟すぎるため、フックシート110とターゲットテープ60との剥離するために自由端部100fを引っ張っても、その力がフックシート110に伝わり難く、ファスニングテープを取り外し難い問題が発生した。また、比較例４では、ファスニングテープの取り付け時に破れることなく使用できる強度を保つことも難しかった。
【００６５】
表３は、フックシート存在域SHSの長手方向DLにおける曲げ特性の試験結果を示す。
【００６６】
【表３】
0006043054.tif 000004
【００６７】
表３に示すように、実施例１〜実施例６に係るフックシート存在域SHSのB値は、0.1009106N・cm2以下であった。また、実施例３〜実施例５に係るフックシート存在域SHSの2HB値は、0.08260616N・cm以下であった。
【００６８】
つまり、実施例１〜実施例６は、比較例１〜比較例３よりも大幅に曲げ剛性Bが低く、特に、実施例３〜実施例５は、曲げ回復性2HBの値も低いことが確認できた。
【００６９】
表４は、フックシート存在域SHSの幅方向DWにおける単位長さ当たりのKES曲げ特性（N・cm2/cm, N・cm/cm）の試験結果を示す。
【００７０】
【表４】
0006043054.tif 000005
【００７１】
表４に示すように、実施例１〜６に係るフックシート存在域SHSのB値は、0.02790942N・cm2/cm以下であった。また、フックシート存在域SHSの2HB値は、0.02771734N・cm/cm以下であった。
【００７２】
つまり、実施例１〜実施例６は、比較例１〜比較例３よりも大幅に曲げ剛性B及び曲げ回復性2HBの値が低いことが確認できた。
【００７３】
（４．２．２）足の動かし易さ
表５に示すように、実施例１〜実施例６では、モニタへのアンケートを実施したところ、「赤ちゃんが足を動かし易いと感じるか」についての５段階評価（「非常に動かし易そう」、「やや動かし易そう」、「どちらとも言えない」、「やや動かし難そう」、「かなり動かし難そう」）のうち、８０％以上の人が「非常に動かし易そう」、または「やや動かし易そう」と感じたとの結果が得られた。
【００７４】
さらに、実施例３〜実施例５では、アンケートの自由記載欄において着用者（乳児）足の動き易さに関し、乳児が足を積極的に動かしている行動が見られたことが５名以上から報告された。例えば、「普段使っている使い捨ておむつよりも両手で足を持ってよく遊んだ」というような内容が報告された（表５の「足の動かし易さ」において「良」と表記）。
【００７５】
また、表５に示すように、ドールを用いた試験では、実施例１〜実施例６では、６０度以上の足上げ角度が確保できている。一方、比較例１〜比較例３では、概ね５５度程度の足上げ角度しか確保できていない。つまり、実施例１〜実施例６は、比較例１〜比較例３よりも大幅に足上げ角度を大きくすることができ、着用者の足上げ動作を妨げ難いことが確認できた。
【００７６】
【表５】
0006043054.tif 000006
【００７７】
（５）作用・効果
次に、上述した使い捨ておむつ10の作用及び効果について説明する。まず、人間の足は、体幹の前寄りに繋がっている。このため、足を前後に動かす動作をした際には、足繰り前側の鼠蹊部と腹部との間に使い捨ておむつのファスニングテープが挟まれる状態となり、前側の足鼠蹊部にファスニングテープの下端部が接触する。
【００７８】
使い捨ておむつ10では、ファスニングテープ存在域SALL全体としての長手方向DLにおけるKES曲げ剛性値は、0.115199N・cm2以下であるため、足鼠蹊部にファスニングテープの下端部が接触した際の力によって、ファスニングテープが柔軟に曲がり、着用者（乳幼児）が足の動きに違和感を覚えない。この結果、足を前後により大きく動かすができるため、着用者の足の動きが活発となり、特に乳幼児が不快感や痛みを感じ難くなるとともに、乳幼児の成長への悪影響を効果的に防止し得る。
【００７９】
なお、当該KES曲げ剛性値は、0.0602406N・cm2以下ではより好ましい。
【００８０】
また、上述した実施形態では、フックシート存在域SHSの長手方向DLにおけるKES曲げ剛性値は、0.1009204N・cm2以下であるため、特に足繰りの動きに負荷を与えてしまうフックシートの部分についても着用者が違和感を覚えることがない。また、フックシート存在域SHSの幅方向における単位長さ当たりのKES曲げ剛性値は、0.0279006N・cm2/cm以下であるため、着用者の腹部やウエスト回りの凹凸にファスニングテープ100が沿い易く、ファスニングテープ100が部分的にターゲットテープ60から剥がれてしまうことが抑制される。これにより、ファスニングテープ100に荷重が掛かった場合でも、ファスニングテープ100が腹部などの凹凸に追従することなく折れ曲がってターゲットテープ60から外れてしまうことを防止できる。
【００８１】
上述した実施形態では、吸収性本体15の長手方向DLにおける領域Sの伸長率は、130%以上である。着用者が足を動かすと、着用者の皮膚表面は伸びたり縮んだりするが、使い捨ておむつの脚回りを中心としたサイドフラップ50の表面は、着用者の足繰り臀部側の皮膚表面を覆っている。この部位の皮膚表面は、最大で約25〜30%程度伸びることがわかった。
【００８２】
この皮膚表面に対応する使い捨ておむつが３０％以上伸長可能とすることによって、足繰り臀部側のサイドフラップ50が皮膚表面に追従して、使い捨ておむつ10を構成するシートが突っ張ることなく伸長できるようになるため、着用者の足繰りの動きを妨げない。
【００８３】
上述した実施形態（実施例３〜実施例５）では、ファスニングテープ存在域SALL全体としての長手方向DLにおけるにおけるKES曲げ回復（2HB）値は、0.1313298N・cm以下である。２HB値は、ファスニングテープの反発の度合いを示す。実施例３〜５では、着用者が足を曲げた後、その状態にて保持した場合にファスニングテープ100の反発が小さく、着用者が足を曲げた状態を保持し易くなる。また、着用者の肌に刺激を与え難い。２HB値が0.1313298N・cm以下になることで、大きく足を曲げた後でも、ファスニングテープから受ける圧力が低く抑えられ、乳児が足を上げて保持したような状態においても足まわりに違和感を与え難い。
【００８４】
上述した実施形態、具体的には、実施例１、３及び４では、フックシート存在域SHSの長手方向DLにおける単位長さ当たりのKES曲げ剛性値をB1、ファスニングテープ存在域SALLのうち、フックシート110が設けられていないフックシート非存在域SB（フックシート110が設けられておらず、サイドフラップ50と重複している領域を含む）の長手方向DLにおける単位長さ当たりのKES曲げ剛性値をB2とした場合、KES曲げ剛性の比率B2/B1は、0.80〜1.20の関係を満足する。このため、フックシート非存在域SBと、ターゲットテープ60の係合部分との湾曲状態とが同様の状態（同様に皺入りし、湾曲する状態）となり、何れかの部分に力が集中することなく、ファスニングテープ100がターゲットテープ60から外れ難い。また、ファスニングテープ100の柔軟性を確保しつつ、ファスニングテープ100のめくれ上がりが起き難く、ファスニングテープ100がターゲットテープ60から外れ難い。
【００８５】
また、B2/B1＞1.0、つまり、B1＜B2である場合、フックシート存在域SHSの柔軟性が際立つため、ユーザは、フックシート110の柔軟性をより確実に実感し得る。
【００８６】
さらに、本実施形態では、フックシート110及び基材シート120の剛性を低下させているため、フックシート110を従来の標準的なフックシートのサイズより大きくしても、フックシート110が使い捨ておむつ10（具体的には、ターゲットテープ60）の形状に追従してしっかりと係合できる。従来の標準的なフックシートの場合、このような理由からフックシートのサイズをなるべく小さくし、狭い領域でターゲットテープに係合させていたが、フックシートの剛性が高いので使い捨ておむつ10の形状の変化に追従できず、着用者に不快感を与えることもあったが、本実施形態では、このような問題も解消されている。
【００８７】
上述した実施形態では、サイドフラップ50に取り付けられるファスニングテープ100の基端部100bから自由端部100fに向かうに連れて、長手方向DLにおける幅が狭くなる形状を有する。このため、着用者の足繰り鼠蹊部の形状と、腹部部分が飛び出している状態となりやすい乳幼児の体型に沿い易くなる。
【００８８】
上述した実施形態では、フックシート110が設けられている面と反対側の面である基材シート120の外側面と、吸収性本体15の外側面とは、実質的に同一の模様（エンボス部80）を有する。このため、ファスニングテープ100が使い捨ておむつ10と一体の構成であり、異なる部位でないことを使い捨ておむつ10の使用者に認識させることができる。使い捨ておむつの最外層のシート（バックシート70）は、使用者（例えば、乳幼児の母親）が使い捨ておむつを乳幼児に装着する際に触れる頻度が高い部分であるため、柔らかい感触を与えるようなシートを用いている。
【００８９】
使い捨ておむつ10の場合、ファスニングテープ100も柔軟であるため、使用者は、ファスニングテープ100が特別なもの（異物）でなく吸収性本体15と同様との印象を抱き易くなる。この結果、着用者が足を動かし易い使い捨ておむついう印象を使用者に与えことができる。
【００９０】
（６）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９１】
例えば、上述した実施形態では、フックシート110が設けられている面と反対側の面である基材シート120の外側面と、吸収性本体15の外側面とは、エンボス部80が形成され、これにより、基材シート120の外側面と、吸収性本体15の外側面とが、実質的に同一の模様を有していたが、このような処理は、必ずしも施されていなくても構わない。
【００９２】
また、ファスニングテープ100の自由端部100fには基材シート120よりもB値が高くなるようにすることも可能である。この場合、この部位がファスニングテープ100の着脱時に掴まれる部位（タブ）となり、ファスニングテープ100の操作性を向上させることが可能となる。この場合にも、フックシート存在域SHSの剛性は上述の範囲より小さくされることによって、足繰りの動きに負荷を与えることがない。
【００９３】
上述した実施形態では、使い捨ておむつ10が乳幼児用として好適に用いることができる旨説明したが、本発明の適用範囲は、乳幼児用の使い捨ておむつに限定されるものではなく、例えば小児用や大人用の使い捨ておむつにも勿論適用し得る。
【００９４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９５】
10…使い捨ておむつ
15…吸収性本体
20…前胴回り部
30…股下部
35…吸収体
40…後胴回り部
50…サイドフラップ
55…レッグ弾性部材
60…ターゲットテープ
70…バックシート
80…エンボス部
100…ファスニングテープ
100b…基端部
100f…自由端部
110…フックシート
111…係合フック
120…基材シート
SALL…ファスニングテープ存在域
SB…フックシート非存在域
SHS…フックシート存在域
【図１】
0006043054.tif 000007
【図２】
0006043054.tif 000008
【図３】
0006043054.tif 000009
【図４】
0006043054.tif 000010
【図５】
0006043054.tif 000011